(57)【特許請求の範囲】
【請求項１】
光学ビューファインダ内にファインダ内表示用の点灯素子が備えられているビデオカメラのファインダ装置であって、
ビデオカメラに備えられている、撮像信号の値から露出を判定する自動露出装置で得られる被写体輝度情報から撮影環境の照度を連続的に求め、照度が設定値より小さいときには点灯素子に供給する電力の値を定常値とし、照度が設定値より大きいときには点灯素子に供給する電力の値を大きくする制御手段を備えたことを特徴とするビデオカメラのファインダ装置。
【請求項２】
請求項１において、前記自動露出装置は、撮像信号の値から露出を判定する機能を有するタイプであり、前記制御手段は自動露出装置で得たレンズ開口値を基に撮影環境の照度を求めることを特徴とするビデオカメラのファインダ装置。
【請求項３】
請求項２において、前記制御手段は、レンズ開口値を基本値とし、電子シャッタ時間値，露出の過不足値，撮像素子の感度値を補正値として撮影環境の照度を求めることを特徴とするビデオカメラのファインダ装置。
【発明の詳細な説明】
【０００１】
【産業上の利用分野】
本発明はビデオカメラのファインダ装置に関し、特に光学ビューファインダ内の点灯素子によるファインダ内表示を無駄なく明瞭に行うように工夫したものである。
【０００２】
【従来の技術】
コンパクトで携帯性を向上させたカメラ一体型ＶＴＲ（以下「ビデオカメラ」と称す）として、図３に示す形状のビデオカメラが開発されている。この図面に示すように、このビデオカメラ０１の外装ケース０２は、カメラ前後方向（図３上の矢印ＡＢ方向）に薄い、偏平な略直方体の外観形状を有している。撮影レンズ０３及び光学ビューファインダ０４は外装ケース０２の上部に併設され、ステレオマイク０５は外装ケース０２の頂部に配設されている。尚、０６はＶＴＲデッキ部、０７はサイドグリップ部、０８は撮影ボタン、０９はテレ／ワイド切換ボタンである。
【０００３】
図３に示すビデオカメラ０１では、電子ビューファインダではなく光学ビューファインダ０４を用いているため、電源がＯＦＦになっていても撮影者が光学ビューファインダ０４を覗いて、撮影しようとする景色を見ることができる。よってこのようなタイプのビデオカメラ０１には、そのＩＣにパワーセーブモードを持たせることがある。
【０００４】
パワーセーブモードを有するビデオカメラ０１では、電源スイッチは投入されているが撮影ボタン０８が投入されていない状態のときには、メカ系及びマイクロコンピュータの一部に電力は供給されるが、マイクロコンピュータの演算機能部や撮像系の回路には電力の供給をせず、消費電力を少なくしている。具体的には、パワーセーブ時には、回転ドラムは回転し、マイクロコンピュータのうちセンサ信号や撮影ボタンのＯＮ，ＯＦＦを検知する部分は機能するが、ＣＣＤや画像信号の処理をするＩＣやマイクロコンピュータの演算機能部には電力供給はされず、更にアイリスは閉じている。このようなパワーセーブ時であっても、上述したように、光学ビューファインダ０４を通して撮影景色が確認できるので、撮影者は不自然な感じを持つことなく何ら問題はない。
【０００５】
電源スイッチが投入されているときに撮影ボタン０８を押すと、パワーセーブモードが解除され、電気を必要とするメカ系及び電気系のすべての部分に電力供給が行われＣＣＤから画像信号が出力される。このようにしてパワーセーブモード時に続き撮影ボタン０８が投入されると、アイリスは適正露出になるまで高速で開く。また撮影ボタン０８を押してから、少し遅れて（例えば０．５秒）実際の録画が開始する。実際の録画開始タイミングを撮影ボタン投入時から遅らせているのは、メカ系の動作遅れを考慮したからである。
【０００６】
上述したようなビデオカメラ０１では、光学ビューファインダ０４内にＬＥＤ等の点灯素子によりファインダ内表示をしている。ファインダ内表示の内容としては、電源のＯＮ（録画のスタンバイ完了），ＯＦＦ状態、「録画中」等を示す録画の状態等のカメラ情報がある。
【０００７】
【発明が解決しようとする課題】
ところで光学ビューファインダ０４を備えたビデオカメラ０１では、高照度下（スキー場や夏の晴天時）で撮影をするときには、ファインダ内表示用の点灯素子に供給する電力を多くして高輝度で点灯させないと、表示が見にくくなってしまう。また常に大電力を点灯素子に供給していると消費電力が多くなってしまうため、低照度下で撮影するときには、点灯素子に供給する電力を少なくすることが望ましい。ところが従来では、点灯素子に常に一定の電力を供給していた。このため、高照度下で撮影するときにファインダ内表示が見にくかったり、消費電力が多くなったりしていた。
【０００８】
本発明は、上記従来技術に鑑み、撮影環境の照度に応じてファインダ内表示用の点灯素子に供給する電力を調整することにより、ファインダ内表示が見やすくしかも消費電力の節約もすることのできるビデオカメラのファインダ装置を提供することを目的とする。
【０００９】
【課題を解決するための手段】
上記課題を解決する本発明の構成は、光学ビューファインダ内にファインダ内表示用の点灯素子が備えられているビデオカメラのファインダ装置であって、ビデオカメラに備えられている、撮像信号の値から露出を判定する自動露出装置で得られる被写体輝度情報から撮影環境の照度を連続的に求め、照度が設定値より小さいときには点灯素子に供給する電力の値を定常値とし、照度が設定値より大きいときには点灯素子に供給する電力の値を大きくする制御手段を備えたことを特徴とする。
【００１０】
【作用】
ビデオカメラのＡＥ情報から撮影時の照度条件を判断し、高照度下での撮影と判断されたときは、光学ビューファインダ内に備えたファインダ内表示用の点灯素子に供給する電力を増し、表示を見やすくし、通常照度下では供給電力を小さくして消費電力を節約する。
【００１１】
【実施例】
図１は本発明の実施例を組み込んだビデオカメラの撮像系を示す。同図に示すようにレンズ部１により形成された光学像がＣＣＤ２の受光面に結像され、ＣＣＤ２からは撮像信号Ｓが出力される。撮像信号ＳはＡＧＣ回路３を通り、Ａ／Ｄ変換器５によりデジタル信号に変換されて、信号処理回路６及び演算回路７に入力される。
【００１２】
信号処理回路６は、入力された信号を輝度信号系と色信号系に分離し、γ補正処理やホワイトバランス制御等の処理をする。そして信号処理回路６の後段に接続されたローパスフィルタ８からは輝度信号Ｙが出力され、バンドパスフィルタ９からは色信号Ｃが出力される。
【００１３】
演算回路７は、撮像信号Ｓの値を基に、最適露出にするためのアイリス値Ｉ及び最適なホワイトバランス制御を行うためのホワイトバランス制御値Ｗを演算する。
【００１４】
カメラマイコン１０は、ホワイトバランス制御値Ｗを信号処理回路６に送ってホワイトバランス制御をさせる。またカメラマイコン１０は、アイリス値ＩをＤ／Ａ変換器１１を介してアイリスドライバ１２に送るため、アイリスドライバ１２が作動してアイリス開度が変化する。ホール素子１３はアイリスに取り付けられており、その出力電圧Ｈは、図２に示すようにアイリス開度に応じて変化する。このホール素子電圧Ｈはホールアンプ１４で増幅されてからカメラマイコン１０に入力される。なおアイリス調整をしてもまだ露出が不足するときは、カメラマイコン１０は、ＡＧＣ３のゲインをアップさせる。
【００１５】
なお演算回路７のアイリス値演算機能、カメラマイコン１０、Ｄ／Ａ変換器１１、アイリスドライバ１２、アイリス、ホール素子１３、ホールアンプ１４等により、自動露出装置が構成されている。
【００１６】
カメラマイコン１０とシステムコントローラ１５とは相互にデータ通信が行なわれる。そして光学ビューファインダ４内に備えられてファインダ内表示をするための点灯素子１６に供給される電力の大きさは、後述するようにシステムコントローラ１５の指令により制御される。
【００１７】
前記カメラマイコン１０は更に、例えばＩＳＯ１００のときの露出値ＥV100を次式により求めている。
ＥV100＝ＡV ＋ＴV ＋ＳV100＋ＥeV−ＡgcV −ＣccdV
但し
ＥV100：ＩＳＯ１００のときの露出値
ＡV   ：レンズ開口値
ＴV   ：電子シャッタ時間値
ＳV100：ＩＳＯ１００の感度値
ＥeV  ：露出の過不足値
ＡgcV ：ＡＧＣ３による感度アップ値
ＣccdV：ＣＣＤ２の感度値
【００１８】
レンズ開口値ＡV はホール素子電圧Ｈから求められ、電子シャッタ時間値ＴV は設定されてマイコン１０にメモリされており、感度値ＳV100は固定値であり外部からマイコン１０に設定されており、露出の過不足値ＥeVはＡＥ演算回路出力値により求められ、感度アップ値ＡgcV はマイコン１０にメモリされており、感度値ＣccdVは固定値であり外部からマイコン１０に設定されている。
【００１９】
露出値ＥV100は、撮影時の周囲の明るさにほぼ相当するものである。このためカメラマイコン１０は露出値ＥV100を演算し、その値があらかじめ設定した値よりも小さいときは、撮影環境の照度が低いと判定し、露出値ＥV100があらかじめ設定した値よりも大きくなったら撮影環境の照度が高いと判定する。
【００２０】
システムコントローラ１５は、カメラマイコン１０により撮影環境照度が低いと判定したときには、点灯素子１６に供給する電力を通常値とし、通常の照度環境下でファインダ内表示がほどよく見える程度とする。またシステムコントローラ１５は、カメラマイコン１０により撮影環境照度が高いと判定したときには、点灯素子１６に供給する電力を多くし、高照度環境下でもファインダ内表示が明瞭に見えるようにする。
【００２１】
【発明の効果】
以上実施例と共に具体的に説明したように本発明によれば、通常照度の撮影環境ではファインダ内表示をする点灯素子に供給する電力を節約し、高照度撮影環境では点灯素子に供給する電力を増やし明瞭なファインダ内表示が見られる。
【図面の簡単な説明】
【図１】本発明の実施例を組み込んだビデオカメラの撮像系を示すブロック図。
【図２】アイリスの開口特性を示す特性図。
【図３】光学ビューファインダを搭載したビデオカメラを示す斜視図。
【符号の説明】
０１  カメラ一体型ＶＴＲ（ビデオカメラ）
０２  外装ケース
０３  撮影レンズ
０４  光学ビューファインダ
０５  ステレオマイク
０６  ＶＴＲデッキ
０７  サイドグリップ
０８  撮影ボタン
０９  テレ／ワイド切換ボタン
１  レンズ部
２  ＣＣＤ
３  ＡＧＣ回路
４  光学ビューファインダ
５  Ａ／Ｄ変換器
６  信号処理回路
７  演算回路
８  ローパスフィルタ
９  バンドパスフィルタ
１０  カメラマイコン
１１  Ｄ／Ａ変換器
１２  アイリスドライバ
１３  ホール素子
１４  ホールアンプ
１５  システムコントローラ
１６  点灯素子
【図１】
0003544380.tif 000002
【図２】
0003544380.tif 000003
【図３】
0003544380.tif 000004